【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
シートを積載可能な積載手段と、
前記積載手段に積載された前記シートのうち、最上位のシートに接触して搬送方向に給送する給送手段と、
前記積載手段を吊り上げる第１吊り上げ手段と、
前記積載手段を吊り上げる、前記第１吊り上げ手段とは異なる第２吊り上げ手段と、
前記積載手段を吊り上げる、前記第１吊り上げ手段および前記第２吊り上げ手段とは異なる第３吊り上げ手段と、
前記第１吊り上げ手段および前記第２吊り上げ手段を巻き取ることによって前記積載手段を上昇させるとともに、前記第１吊り上げ手段および前記第２吊り上げ手段を解放することによって前記積載手段を下降させる巻き取り手段と、
を有するシート給送装置であって、
前記積載手段は、前記搬送方向において、前記第１吊り上げ手段と接続する第１接続部と、前記第２吊り上げ手段と接続する第２接続部と、前記第３吊り上げ手段と接続する第３接続部と、をそれぞれ複数有し、
前記搬送方向において、前記第２接続部は前記第３接続部の下流側に位置するとともに前記第１接続部は前記第２接続部の下流側に位置し、
前記第１吊り上げ手段は、一端を前記巻き取り手段に、他端を前記第１接続部に接続され、前記巻き取り手段が巻き取りを行ったときに前記第１接続部を上昇させるよう設けられ、
前記第２吊り上げ手段は、一端を前記巻き取り手段に、他端を前記第２接続部に接続され、前記巻き取り手段が巻き取りを行ったときに前記第２接続部を上昇させるよう設けられ、
前記第３吊り上げ手段は、一端を前記第２接続部に、他端を前記第３接続部に接続され、前記巻き取り手段が前記第１吊り上げ手段および前記第２吊り上げ手段の巻き取りを行ったときに、前記第２吊り上げ手段によって上昇する前記第２接続部に牽引されて、前記第３接続部を上昇させるよう設けられる
ことを特徴とするシート給送装置。
【請求項２】
前記第２接続部と前記第２吊り上げ手段との接続位置は、前記第２接続部と前記第３吊り上げ手段との接続位置と同位置であることを特徴とする請求項１に記載のシート給送装置。
【請求項３】
前記第２接続部と前記第２吊り上げ手段との接続点と、前記第２接続部と前記第３吊り上げ手段との接続点が所定の範囲で異なり、
前記第２吊り上げ手段との接続点と前記第３吊り上げ手段との接続点との距離が、前記第１接続部と前記第２接続部との距離よりも小さく、かつ、前記第２接続部と前記第３接続部との距離よりも小さいことを特徴とする請求項１または２に記載のシート給送装置。
【請求項４】
前記積載手段より下方に設けられ、前記第３吊り上げ手段を支持する第１支持手段と、
前記積載手段より上方に設けられ、前記第３吊り上げ手段を支持する第２支持手段と、を有し、
前記第２吊り上げ手段に引かれる前記第３吊り上げ手段は、前記第１支持手段及び前記第２支持手段を介して前記積載手段を吊り上げることを特徴とする請求項１乃至３のいずれか１項に記載のシート給送装置。
【請求項５】
前記積載手段は、前記第１支持手段と前記第２支持手段との間で昇降が可能であることを特徴とする請求項４に記載のシート給送装置。
【請求項６】
前記第２支持手段が前記積載手段の昇降する方向に位置を変更可能であり、前記第２支持手段の位置を変更することにより前記第２吊り上げ手段の吊り上げ作用を調整することを特徴とする請求項４又は５に記載のシート給送装置。
【請求項７】
前記第１支持手段及び前記第２支持手段が滑車であることを特徴とする請求項４乃至６のいずれか１項に記載のシート給送装置。
【請求項８】
前記巻き取り手段を、第１の方向および前記第１の方向とは逆の第２の方向に回転させる駆動力を発生する駆動手段をさらに有することを特徴とする請求項１乃至７のいずれか１項に記載のシート給送装置。
【請求項９】
前記第１吊り上げ手段、前記第２吊り上げ手段、および前記第３吊り上げ手段は、前記積載手段がシートを積載可能な積載領域よりも外側の位置において、それぞれ前記第１接続部、前記第２接続部、前記第３接続部と接続されることを特徴とする、請求項１乃至８のいずれか１項に記載のシート給送装置。
【請求項１０】
前記積載手段は、前記第１接続部と前記第２接続部との間と、前記第２接続部
と前記第３接続部との間にそれぞれ凹部を有し、前記第１接続部、前記第２接続部、および前記第３接続部は、前記凹部を設けることによって生じる梁状の凸部に設けられることを特徴とする請求項１乃至９のいずれか１項に記載のシート給送装置。
【請求項１１】
前記積載手段が積載可能な最大サイズのシートを積載したときに、前記搬送方向における該シートの後端位置は、前記第２接続部よりも前記搬送方向おいて上流側であることを特徴とする、請求項１乃至１０のいずれか１項に記載のシート給送装置。
【請求項１２】
シートを積載可能な積載手段と、
前記積載手段に積載された前記シートのうち、最上位のシートに接触して搬送方向に給送する給送手段と、
前記給送手段により給送されたシートに対して画像を形成する画像形成手段と、
前記積載手段を吊り上げる第１吊り上げ手段と、
前記積載手段を吊り上げる、前記第１吊り上げ手段とは異なる第２吊り上げ手段と、
前記積載手段を吊り上げる、前記第１吊り上げ手段および前記第２吊り上げ手段とは異なる第３吊り上げ手段と、
前記第１吊り上げ手段および前記第２吊り上げ手段を巻き取ることによって前記積載手段を上昇させるとともに、前記第１吊り上げ手段および前記第２吊り上げ手段を解放することによって前記積載手段を下降させる巻き取り手段と、
を有する画像形成装置であって、
前記積載手段は、前記搬送方向において、前記第１吊り上げ手段と接続する第１接続部と、前記第２吊り上げ手段と接続する第２接続部と、前記第３吊り上げ手段と接続する第３接続部と、をそれぞれ複数有し、
前記搬送方向において、前記第２接続部は前記第３接続部の下流側に位置するとともに前記第１接続部は前記第２接続部の下流側に位置し、
前記第１吊り上げ手段は、一端を前記巻き取り手段に、他端を前記第１接続部に接続され、前記巻き取り手段が巻き取りを行ったときに前記第１接続部を上昇させるよう設けられ、
前記第２吊り上げ手段は、一端を前記巻き取り手段に、他端を前記第２接続部に接続され、前記巻き取り手段が巻き取りを行ったときに前記第２接続部を上昇させるよう設けられ、
前記第３吊り上げ手段は、一端を前記第２接続部に、他端を前記第３接続部に接続され、前記巻き取り手段が前記第１吊り上げ手段および前記第２吊り上げ手段の巻き取りを行ったときに、前記第２吊り上げ手段によって上昇する前記第２接続部に牽引されて、前記第３接続部を上昇させるよう設けられる
ことを特徴とする画像形成装置。
【手続補正２】
【補正対象書類名】明細書
【補正対象項目名】発明の名称
【補正方法】変更
【補正の内容】
【発明の名称】シート給送装置及び画像形成装置
【手続補正３】
【補正対象書類名】明細書
【補正対象項目名】０００１
【補正方法】変更
【補正の内容】
【０００１】
本発明はシート給送装置、及び画像形成装置に関する。
【手続補正４】
【補正対象書類名】明細書
【補正対象項目名】０００７
【補正方法】変更
【補正の内容】
【０００７】
本発明は上記従来例に鑑みてなされたもので、簡易な構成で、シート積載台を安定して昇降させることができるシート給送装置及び画像形成装置を提供することを目的とする。
【手続補正５】
【補正対象書類名】明細書
【補正対象項目名】０００８
【補正方法】変更
【補正の内容】
【０００８】
上記目的を達成するために本発明のシート給送装置は次のような構成からなる。
【手続補正６】
【補正対象書類名】明細書
【補正対象項目名】０００９
【補正方法】変更
【補正の内容】
【０００９】
即ち、シートを積載可能な積載手段と、前記積載手段に積載された前記シートのうち、最上位のシートに接触して搬送方向に給送する給送手段と、前記積載手段を吊り上げる第１吊り上げ手段と、前記積載手段を吊り上げる、前記第１吊り上げ手段とは異なる第２吊り上げ手段と、前記積載手段を吊り上げる、前記第１吊り上げ手段および前記第２吊り上げ手段とは異なる第３吊り上げ手段と、前記第１吊り上げ手段および前記第２吊り上げ手段を巻き取ることによって前記積載手段を上昇させるとともに、前記第１吊り上げ手段および前記第２吊り上げ手段を解放することによって前記積載手段を下降させる巻き取り手段と、を有するシート給送装置であって、前記積載手段は、前記搬送方向において、前記第１吊り上げ手段と接続する第１接続部と、前記第２吊り上げ手段と接続する第２接続部と、前記第３吊り上げ手段と接続する第３接続部と、をそれぞれ複数有し、前記搬送方向において、前記第２接続部は前記第３接続部の下流側に位置するとともに前記第１接続部は前記第２接続部の下流側に位置し、前記第１吊り上げ手段は、一端を前記巻き取り手段に、他端を前記第１接続部に接続され、前記巻き取り手段が巻き取りを行ったときに前記第１接続部を上昇させるよう設けられ、前記第２吊り上げ手段は、一端を前記巻き取り手段に、他端を前記第２接続部に接続され、前記巻き取り手段が巻き取りを行ったときに前記第２接続部を上昇させるよう設けられ、前記第３吊り上げ手段は、一端を前記第２接続部に、他端を前記第３接続部に接続され、前記巻き取り手段が前記第１吊り上げ手段および前記第２吊り上げ手段の巻き取りを行ったときに、前記第２吊り上げ手段によって上昇する前記第２接続部に牽引されて、前記第３接続部を上昇させるよう設けられることを特徴とする。
【手続補正７】
【補正対象書類名】明細書
【補正対象項目名】００１０
【補正方法】変更
【補正の内容】
【００１０】
また本発明を別の側面から見れば、シートを積載可能な積載手段と、前記積載手段に積載された前記シートのうち、最上位のシートに接触して搬送方向に給送する給送手段と、前記給送手段により給送されたシートに対して画像を形成する画像形成手段と、前記積載手段を吊り上げる第１吊り上げ手段と、前記積載手段を吊り上げる、前記第１吊り上げ手段とは異なる第２吊り上げ手段と、前記積載手段を吊り上げる、前記第１吊り上げ手段および前記第２吊り上げ手段とは異なる第３吊り上げ手段と、前記第１吊り上げ手段および前記第２吊り上げ手段を巻き取ることによって前記積載手段を上昇させるとともに、前記第１吊り上げ手段および前記第２吊り上げ手段を解放することによって前記積載手段を下降させる巻き取り手段と、を有する画像形成装置であって、前記積載手段は、前記搬送方向において、前記第１吊り上げ手段と接続する第１接続部と、前記第２吊り上げ手段と接続する第２接続部と、前記第３吊り上げ手段と接続する第３接続部と、をそれぞれ複数有し、前記搬送方向において、前記第２接続部は前記第３接続部の下流側に位置するとともに前記第１接続部は前記第２接続部の下流側に位置し、前記第１吊り上げ手段は、一端を前記巻き取り手段に、他端を前記第１接続部に接続され、前記巻き取り手段が巻き取りを行ったときに前記第１接続部を上昇させるよう設けられ、前記第２吊り上げ手段は、一端を前記巻き取り手段に、他端を前記第２接続部に接続され、前記巻き取り手段が巻き取りを行ったときに前記第２接続部を上昇させるよう設けられ、前記第３吊り上げ手段は、一端を前記第２接続部に、他端を前記第３接続部に接続され、前記巻き取り手段が前記第１吊り上げ手段および前記第２吊り上げ手段の巻き取りを行ったときに、前記第２吊り上げ手段によって上昇する前記第２接続部に牽引されて、前記第３接続部を上昇させるよう設けられることを特徴とする画像形成装置を備える。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】